(57)【特許請求の範囲】
【請求項１】
同一回転面上に設けられ、先端が側方に曲がった曲がり部を有する複数本の播種溝爪を回転させて播種溝を形成し、該播種溝に播種・施肥・覆土を行う不耕起直播作業装置において、
前記播種溝爪の外周を覆う上部カバーと、前記播種溝爪の両側を覆う側面カバーと、を備え、
肥料タンクからの肥料を導く施肥パイプを、前記播種溝爪の前記曲がり部の回転半径の内径側に対応する前記側面カバーを貫通し、かつ該施肥パイプの先端が前記播種溝の直上に臨むように配設し、
前記複数本の播種溝爪のうちの一部を、他のものに比して回転半径が大径からなり、かつ前記曲がり部の曲がり寸法が大きくなるように構成して、前記一部の播種溝爪のみが前記上部カバー及び側面カバーの内面に付着堆積した土に接するように構成してなる、
ことを特徴とする不耕起直播作業装置。
【発明の詳細な説明】
【０００１】
【発明の属する技術分野】
本発明は、圃場に直接水稲の種籾を播く、直播作業装置に係り、詳しくは従来の田植作業と異なり、必要最小限の幅だけ、同一回転面上に設けられた複数本の播種溝爪を回転させて播種溝を形成し、その後に該播種溝に播種・施肥・覆土を行う、不耕起播種爪装置に関する。
【０００２】
【従来の技術】
従来、前記不耕起直播作業装置において、必要最小限の幅だけ、同一回転面上に設けられた、同一回転半径で、同一側方曲り寸法を有する、複数本の播種溝爪を回転させて播種溝を形成し、その後に該播種溝に播種・施肥・覆土を行う、不耕起播種爪装置は既に知られている。
【０００３】
【発明が解決しようとする課題】
従来知られている、不耕起直播作業装置おいて、必要最小限の幅だけ、同一回転面上に設けられた、同一回転半径で、同一側方曲り寸法を有する、複数本の播種溝爪を回転させて播種溝を形成し、その後に該播種溝に播種・施肥・覆土を行う、不耕起播種爪装置では、同一回転面上に設けられた複数本の播種溝爪の回転半径及び側方曲り寸法が同一のため、回転方向及び両側方の飛散防止カバー内側に付着堆積した土の表面に、全本数の播種溝爪が接触して回転することになり、その接触抵抗による動力損失が大であった。
【０００４】
そこで、本発明は、同一回転面上に設けられた複数本の播種溝爪のうち、必要最少限の播種溝爪のみがカバー内側に付着堆積した土の表面に接し、それ以外の播種溝爪はカバー内側に付着堆積した土の表面に接することなく、播種溝形成のみに使用して、動力損失を軽減することを目的とする。
【０００５】
【課題を解決するための手段】
本発明は、上述事情に鑑みなされたものであって、同一回転面上に設けられ、先端が側方に曲がった曲がり部を有する複数本の播種溝爪（３…）を回転させて播種溝を形成し、該播種溝に播種・施肥・覆土を行う不耕起直播作業装置において、
前記播種溝爪（３…）の外周を覆う上部カバー（５）と、前記播種溝爪の両側を覆う側面カバー（６）と、を備え、
肥料タンク（１０）からの肥料を導く施肥パイプ（７）を、前記播種溝爪（３）の前記曲がり部の回転半径の内径側に対応する前記側面カバー（６）を貫通し、かつ該施肥パイプの先端が前記播種溝の直上に臨むように配設し、
前記複数本の播種溝爪のうちの一部（３ａ，３ｂ）を、他のもの（３ｃ…３ｆ）に比して回転半径が大径からなり、かつ前記曲がり部の曲がり寸法が大きくなるように構成して、前記一部の播種溝爪（３ａ，３ｂ）のみが前記上部カバー（５）及び側面カバー（６）の内面に付着堆積した土に接するように構成してなる、
ことを特徴とする不耕起直播作業装置にある。
【０００６】
（作用）
上記構造により、必要最小限の幅だけ、同一回転面上に設けられた複数本の播種溝爪（３）を回転させて播種溝を形成し、その後に該播種溝に施肥・播種・覆土を行う、不耕起直播作業を行なうと、同一回転面上に設けられた複数本の播種溝爪（３）のうち、必要最少限の播種溝爪（３ａ），（３ｂ）のみがカバー内側に付着堆積した土の表面に接し、それ以外の播種溝爪（３ｃ），（３ｄ），（３ｅ），（３ｆ）はカバー内側の上面（５）及び側面（６）に付着堆積した土の表面に接することなく、播種溝形成のみに使用されるので、動力損失を軽減させることができる。
【０００７】
なお、上述カッコ内の符号は、図面と対照するものであるが、何ら本発明の構成を限定するものではない。
【０００８】
【発明の実施の形態】
従来、水稲の植付けは、先ず、圃場を全面耕耘し、田面一面に水を張って、湛水状態とした後、別途苗代で育成した苗を列状に移植する、いわゆる田植作業が一般であったが、近来、低コスト農業の一環として、圃場を最小限の幅だけ耕耘して播種溝を設け、同時に該播種溝底部に肥料を落下させ、その直後に少し覆土した砕土層の上に直接種籾を落下させて播種し、更に覆土を行ない、後日田面一面に水を張って水田とする、いわゆる不耕起直播作業が普及しつつある。
【０００９】
本発明は、上記不耕起直播作業に係るもので、以下、図面に沿って、本発明の実施の形態例について説明する。
【００１０】
図１は、本発明の不耕起直播作業装置の側面図である。
【００１１】
トラクタの後方に昇降可能に装着された多列の播種溝ロータリ１と、更に後方に昇降自在に装着された播種装置２からなり、前記播種溝ロータリ１には肥料タンク１０，施肥管８，施肥パイプ７及び尾輪１８が併設され、前記播種装置２には多列の種子タンク９，１対の溝切り板１３，覆土板１４，転圧ローラ１５及び左右一対の接地輪２１が装備されている。
【００１２】
図２（ａ）は、播種溝ロータリ１単体の縦断面図を示し、図２（ｂ）は、播種溝ロータリ１単体の左側面図を示す。
【００１３】
トラクタ本体からの動力は、左端に設けられたチェン１ａによって各列共通の爪軸４に伝達され、各列ごとの播種溝ロータリ１の前記爪軸４には同一回転面上に複数本の播種溝爪３が植設されている。
【００１４】
播種溝ロータリ１の外周は、下部の一部を残して円周状に上部カバー５で覆われ、左右両側面は、中心と下部の一部を残して側面カバー６で覆われている。
【００１５】
播種溝ロータリ１の上部には、左右２個の肥料タンク１０が設置され、該肥料タンク１０からは、前記側面カバー６後半部の、播種溝爪３の左右への曲がり部回転半径の内側に設けられた孔６ａに、前記施肥パイプ７が貫通して、上部の肥料タンク１０からの肥料１６を、播種溝底部に落下させることができるように配設されてている。
【００１６】
従って、播種溝爪３が回転中でも、播種溝爪３の左右への曲がり部に干渉することなく、しかも、施肥パイプ７を播種溝の直上まで臨ませることが出来るので、肥料１６が播種溝の外へ散逸することなく、播種溝底部に落下させ、効率のよい施肥作業ができるようになっている。
【００１７】
図２（ｂ）において、播種溝爪３は、一般のロータリと異なり、常に逆転方向（時計回り）に回転し、圃場の土を下方から上方に向かって跳ね上げ、播種溝爪３の回転半径及び左右への曲がりの先端との隙間１９，２０が最小限になるように、極めて近接して上部カバー５及び側面カバー６とが設けられている。
【００１８】
跳ね上げられて砕土された土は、上部カバー５及び側面カバー６の内面に案内されて、先に播種溝底部に施肥された肥料１６の上に落下し、施肥層の上に更に砕土層を形成し、上部カバー５後端のレベラ５ａで均される。
【００１９】
播種溝ロータリ１の後方には、図１及び図３に示すように、トラクタの前進によって逆駆動される接地輪２１が装備され、接地輪２１から種子タンク９の出口の部材を駆動して種子１７の排出量を調整し、種子管１２を経由して、前記砕土層に予め溝切り板１３によって開けられた種子溝に種子１７を撒いて行く。
【００２０】
その後方に設けられた覆土板１４によって、撒かれた種子１７の上に軽く土を被せ、更に最後尾に設けられた転圧ローラ１５によって、被せた土を軽く転圧して一連の施肥・播種作業を中心とする乾田不耕起直播作業を終了する。
【００２１】
後日、田面に水を張って水田状態とする。
【００２２】
上記構造において、図４（ａ），（ｂ）に示すように、播種溝爪３は回転半径、左右の曲がり寸法が一様でなく、１回転面に左右側方への曲がりが左右別に、１本づつ大径でかつ、曲がり寸法の大きい播種溝爪３ａ，３ｂが１８０度対象位置に配設され、その間に左右側方への曲がりが交互になるよう小径でかつ、曲がり寸法の小さい播種溝爪３ｃ，３ｄ及び３ｅ，３ｆがそれぞれ１８０度対象位置に配設され、１回転面に６本の播種溝爪３で構成されている。
【００２３】
次に本実施の形態例の作用について説明する。
【００２４】
上記構造により、必要最小限の幅だけ、同一回転面上に設けられた複数本の播種溝爪３を回転させて播種溝を形成し、その後に該播種溝に施肥・播種・覆土を行う、不耕起直播作業を行なうと、同一回転面上に設けられた複数本の播種溝爪３のうち、必要最少限の播種溝爪３ａ，３ｂのみが上部カバー５及び側面カバー６の内側に付着堆積した土の表面に接し、それ以外の播種溝爪３ｃ，３ｄ及び３ｅ，３ｆはカバー内側の上面及び側面に付着堆積した土の表面に接することなく、播種溝形成のみに使用されるので、動力損失を軽減させることができる。
【００２５】
【発明の効果】
本発明によると、必要最少限の一部の播種溝爪のみが上部カバー及び側面カバーの内側に付着堆積した土の表面に接し、それ以外の播種溝爪はカバー内側の上面及び側面に付着堆積した土の表面に接することなく、播種溝形成のみに使用されるので、動力損失を軽減させることができるようになった。
【図面の簡単な説明】
【図１】本発明の実施の形態の不耕起直播作業装置の側面図である。
【図２】本発明の実施の形態の播種溝ロータリを示し、（ａ）はその縦断面図、（ｂ）はその左側面図を示す。
【図３】本発明の実施の形態の播種溝ロータリの平面図である。
【図４】本発明の実施の形態の播種溝爪の配列を示し、（ａ）はその縦断面図、（ｂ）はその左側面図を示す。
【符号の説明】
１  播種溝ロータリ
２  播種装置
３  播種溝爪
５  上部カバー
６  側面カバー
８  施肥管
１２  種子管
１６  肥料
１７  種子
２１  接地輪
【図１】
0003995306.tif 000002
【図２】
0003995306.tif 000003
【図３】
0003995306.tif 000004
【図４】
0003995306.tif 000005